(57)【要約】【課題】ＰＣからプロジェクタに投影する画像データを転送する際に、画質調整をした上でデータ転送できる画像投影システムを提供する。【解決手段】本発明の画像投影システム５０は、投影用の画像データを生成するＰＣ５、６と、ＰＣ５、６により生成された画像データを投影するプロジェクタ２と、ネットワークとしてのＬＡＮ８と、を備え、画像データをＬＡＮ８を介してプロジェクタ２に転送するドライバ１０は、画像データを投影するプロジェクタ２を選択する設定手段、画像データを画像処理する画像処理手段、及び画像データを所定の圧縮率に基づいて圧縮処理する圧縮処理手段を備えている。また、プロジェクタ２は、ＰＣ５、６により生成された画像データを記憶するメモリ３と、ユーザの指示内容を入力する操作部４とを備えている。【選択図】図１
2014157243.tif 000002
【特許請求の範囲】
【請求項１】
投影用の画像データを生成して投影装置に出力可能な情報処理装置であって、
前記画像データに対して所定の調整処理を行う処理手段と、
該処理手段に対する設定の入力を受け付ける設定手段と、
該設定手段による設定内容に基づいて前記処理手段によって調整処理を施された前記画像データを投影装置に転送する転送手段と、
を備えることを特徴とする情報処理装置。
【請求項２】
投影用の画像データを生成可能な情報処理装置と、
該情報処理装置により生成された前記画像データに基づく画像を投影する投影装置と、を備えた画像投影システムであって、
前記情報処理装置は、
前記画像データに対して所定の調整処理を行う処理手段と、
該処理手段に対する設定の入力を受け付ける設定手段と、
該設定手段による設定内容に基づいて前記処理手段によって調整処理を施された前記画像データを投影装置に転送する転送手段と、を備え、
前記投影装置は、
前記情報処理装置から転送された処理後の画像データを記憶する記憶手段を備えることを特徴とする画像投影システム。
【請求項３】
前記調整処理は、前記画像データの画質モードを変更する画像処理と、前記画像データを圧縮する圧縮処理とを含むことを特徴とする請求項２に記載の画像投影システム。
【請求項４】
前記情報処理装置は、前記画像データのデータ構造毎に異なる画像処理又は／及び圧縮処理を実施することを特徴とする請求項３に記載の画像投影システム。
【請求項５】
前記投影装置は、
前記記憶手段に記憶した画像データの中から操作者により指示された画像データを選択的に投影する投影画像設定手段を備えたことを特徴とする請求項２乃至４の何れか一項に記載の画像投影システム。
【請求項６】
前記投影装置は、
前記記憶手段に記憶した画像データに係るパスワードの入力を受付けるパスワード入力手段と、
前記パスワード入力手段から入力されたパスワードが前記画像データに係るパスワードと一致するか否かを判定するパスワード判定手段と、を備え、
前記記憶手段に記憶した画像データを投影する場合に、前記パスワード入力手段により入力されたパスワードが前記画像データに係るパスワードと一致したときに、該画像データを投影することを特徴とする請求項２乃至４の何れか一項に記載の画像投影システム。
【請求項７】
前記投影装置が備える前記記憶手段は、操作者毎に専用の記憶領域を有し、該記憶領域単位で前記画像データを投影可能としたことを特徴とする請求項２乃至４の何れか一項に記載の画像投影システム。
【請求項８】
前記情報処理装置は、前記記憶手段に記憶された記憶領域単位の画像データを選択的に切り替えて前記投影装置に出力することを特徴とする請求項７に記載の画像投影システム。
【発明の詳細な説明】
【技術分野】
【０００１】
本発明は、投影装置に対して投影用画像データを出力可能な情報処理装置、及び情報処理装置及び投影装置を備える画像投影システムに関する。
【背景技術】
【０００２】
近年、会議などにおいて、ＰＣ等に保持する文書、画像、及びプレゼンテーション資料等の画像データを、有線又は無線で接続したプロジェクタに入力し、入力データに対応する表示画像をスクリーンに投影するシステムが知られている。
かかるシステムにおいて画像データのプロジェクタへの入力方法は、例えば以下に示す方法がある。
すなわち、ＰＣ等が備えるプリンタ制御用のドライバ（プリンタドライバ）に対して、印刷設定画面から出力先のプリンタを設定可能であることは周知であるが、昨今では、プリンタドライバによる画像データの出力先としてプロジェクタを設定可能である。画像データは、プリンタドライバの制御によってプロジェクタに入力される。
プリンタドライバを介してプロジェクタにＰＣの画像データを転送する従来技術として、例えば特許文献１には、プリンタドライバがインストールされたコンピュータにおいて、プリンタドライバの印刷設定画面に含まれるプリンタ選択欄でプロジェクタをデータの出力先に指定することで、このコンピュータに格納される画像をプロジェクタに投影することが可能であることが開示されている。かかる技術によっては、ユーザは、画像データをプリントアウトする要領で、容易にプロジェクタに画像データを入力して、スクリーンに画像を投影することができる。
【発明の概要】
【発明が解決しようとする課題】
【０００３】
しかしながら、特許文献１に開示されている従来技術においては、プリンタドライバを介してＰＣからプロジェクタに画像データを出力する場合にプロジェクタやスクリーンに合わせて投影画像の画質を調整することが出来ない、という問題があった。
本発明は、かかる課題に鑑みてなされたものであり、ＰＣから、プロジェクタに投影する画像データを転送する際に、投影画像の画質を調整することが可能な画像投影システムを提供することを目的とする。
【課題を解決するための手段】
【０００４】
本発明はかかる課題を解決するために、請求項１の発明は、投影用の画像データを生成して投影装置に出力可能な情報処理装置であって、前記画像データに対して所定の調整処理を行う処理手段と、該処理手段に対する設定の入力を受け付ける設定手段と、該設定手段による設定内容に基づいて前記処理手段によって調整処理を施された前記画像データを投影装置に転送する転送手段と、を備える情報処理装置を特徴とする。
【発明の効果】
【０００５】
上記のように構成したので、本発明によれば、プリンタドライバによってＰＣからプロジェクタに画像データを出力する場合に投影画像の画質を調整することが可能な画像投影システムを提供することが可能である。
【図面の簡単な説明】
【０００６】
【図１】第１実施形態に係る画像投影システムの概略構成を示す図。
【図２】第１実施形態に係る情報処理装置（ＰＣ）の機能構成を示すブロック図。
【図３】第１実施形態のプロジェクタの構成を示す図。
【図４】第１実施形態の画像投影システムにおける情報処理装置、プロジェクタの動作を説明するフローチャート。
【図５】ドライバに含まれる設定部が提供する設定画面を説明する図。
【図６】具体的なプロジェクタに投影するＰＣ上のデータに対する画像処理の方法について説明する図。
【図７】第２実施形態に係る画像投影システムの構成を示す図。
【図８】第２実施形態に係る画像投影システムにおける情報処理装置、プロジェクタの動作を説明するフローチャート。
【図９】第３実施形態に係る画像投影システムの構成を示す図。
【図１０】第４実施形態に係る画像投影システムの構成を示す図。
【発明を実施するための形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【０００８】
＜第１実施形態＞
図１は、第１実施形態に係る画像投影システムの概略構成を示す図である。
図１に示す第１実施形態に係る画像投影システム５０は、ネットワークとしてのＬＡＮ８を介して互いに接続されたプロジェクタ（投影装置）２、投影用の画像データ７を生成してプロジェクタ２に供給するＰＣ（情報処理装置）５、６、を備えている。
尚、本実施形態ではＰＣを２台として説明するが、この数に限定する必要はない。
プロジェクタ２は、ＰＣ５、６により生成された画像データから画像を形成してスクリーン１の投影面に投影する。
【０００９】
また、プロジェクタ２は、ＰＣ５、６により生成された画像データを記憶する画像メモリ（記憶手段）３と、ユーザの指示内容を入力する操作部４とを備えている（下記に詳述する）。
ＰＣ５、６が備えるドライバ１０（後述する画像処理部１１１、画像圧縮部１１２）によって処理された画像データ７は、ＬＡＮ８経由でプロジェクタ２に転送され、プロジェクタ２に内蔵のメモリ３に蓄積される。
プロジェクタ２に内蔵のメモリ３に蓄積された画像データは、ユーザが操作部４によりプロジェクタ２に対して操作を行い、プロジェクタ２からスクリーン１の投影面に画像を投影するように指示を与えるまで、メモリ３内に保持される。
プロジェクタ２から投影される画像データは、予めプロジェクタ２のメモリ３に転送されているため、ＰＣ５、６をプロジェクタ２に直接接続することなく、ユーザがプロジェクタ２に対して、操作部４により投影開始の指示を与える操作を行うだけで投影される。
【００１０】
図２は、本実施形態に係る情報処理装置（ＰＣ）の機能構成を示すブロック図であり、（ａ）はハードウェア構成を示す図、（ｂ）は、ソフトウェアによる機能構成を示す図である。
図２（ａ）に示すように、ＰＣ５、６は、ＣＰＵ１００と、ＲＡＭ１０１と、ＨＤＤ１０２と、ネットワークＩ／Ｆ１０３と、ビデオＩ／Ｆ１０４を介して接続されるモニタ等の表示装置１０５と、入力装置１０６と、外部Ｉ／Ｏ１０７とを備えている。
ＣＰＵ（Central Processing Unit）１００は、制御プログラムを実行して本実施形態の情報処理装置としての機能を実現する。ＲＡＭ（Random Access Memory）１０１は、ＣＰＵ１００による制御プログラムの実行のために、プログラムや各種データを展開する作業領域である。ＨＤＤ（Hard Disk Drive）１０２は、制御プログラムや画像データを含む各種のデータを格納する。ネットワークＩ／Ｆ（インターフェイス）１０３は、情報処理装置を有線又は無線にてネットワークに接続するためのインターフェイスである。
入力装置１０６はキーボードやマウス等であり、外部Ｉ／Ｏ１０７はプリンタやプロジェクタを接続して画像データを出力するためのＵＳＢポートやシリアルポート等である。
【００１１】
また、図２（ｂ）に示すように、本実施形態の情報処理装置５、６では、ＣＰＵ１００によって、画像処理部（画像処理手段）１１１、画像圧縮部（画像圧縮手段）１１２、設定部（設定手段）１１３、転送部（転送手段）１１４と、が実行される。
画像処理部１１１は、画像データをプリンタやプロジェクタに出力する際の画像データの画質モード（色数）変更等の画像処理を行う。画像圧縮部１１２は、画像データの圧縮を行う。これらの画像処理部１１１と画像圧縮部１１２によって、画像データの画質を調整処理する画質調整手段（処理手段）が構成される。
設定部１１３は、表示装置１０５に表示した設定画面を使用者に操作させることにより、ＬＡＮ８上の、或いは外部Ｉ／Ｏに接続されたどのプロジェクタを画像データの出力先とするかを設定させる。また、設定部１１３は、画像処理部１１１、画像圧縮部１１２に与える処理パラメータ（画質調整処理内容）を設定させる。
転送部（転送手段）１１４は、画像処理部１１１、画像圧縮部１１２によって画質調整処理がなされた画像データを設定部１１３で設定された出力先の機器に転送する。
これの処理部は通常デバイスドライバ（プリンタドライバ）として提供される。
【００１２】
図３は、本実施形態のプロジェクタ２の構成を示す図である。
図３に示すように、プロジェクタ２は、制御部１２０と、操作部４（図１）と、画像メモリ３（図１）と、ネットワークＩ／Ｆ１２１と、ＲＯＭ１２２と、ＲＡＭ１２３と、液晶パネル１２４と、パネル駆動部１２５と、を備えている。
操作部４は、プロジェクタ２を使用者が操作するためのマンマシンインターフェイスであり、液晶画面やキーボード、タッチパネル、設定ボタン等を有する。
画像メモリ３は、ＰＣ５、６から転送された画像データを格納する。
ネットワークＩ／Ｆ１２１は、プロジェクタ２を有線又は無線にてＬＡＮ８に接続するためのインターフェイスである。
【００１３】
ＲＯＭ１２２は、ＣＰＵ１２０が実行する制御プログラムを格納する記憶領域である。
ＲＡＭ１２３は、ＣＰＵ１２０による処理のために、画像メモリ３に格納される画像データを含む各種のデータや制御プログラムが展開される作業領域である。
パネル駆動部１２５は、ＣＰＵ１２０による制御によって液晶パネル１２４を駆動させて、液晶パネル１２５に画像データに基づく画像を表示する。なお、ＣＰＵ１２０は、情報処理装置のプリンタドライバで生成されたプリンタ用のベクトル形式／ビットマップ形式の画像データを解釈可能であり、スクリーンへの投影に利用可能である。
プロジェクタ２は、液晶パネル１２４に表示された画像を、図示しないランプやレンズによって、スクリーン１の投影面に投影する。
【００１４】
図４は、第１実施形態の画像投影システムにおける情報処理装置、プロジェクタの動作を説明するフローチャートである。
図４（ａ）は、情報処理装置５、６（ＣＰＵ１００）の動作を示すフローチャートであり、図４（ｂ）は、プロジェクタ２の動作を示すフローチャートである。
情報処理装置５、６は、画像データをプロジェクタ２によりスクリーン１に投影する場合、図４（ａ）に示すように、ＰＣ５、６上のドライバ１０に対して、画像データに対する画像処理や圧縮処理の設定を行う（ステップＳ１）。
処理の内容は、ドライバ１０に含まれる設定部１１３が提供する設定画面１０ａによって、ユーザが所望の処理を設定させる（設定画面の詳細は図５で説明する）。
【００１５】
また、ＬＡＮ８上、あるいはローカルに複数のプロジェクタやプリンタが接続されている場合は、画像データを出力するプロジェクタを選択させる。
次に、設定部１１３による設定に従い、ドライバ１０に含まれる画像処理部１１１、画像圧縮部１１２が、画像データに対する画像処理と圧縮処理を行う（ステップＳ２）。
次に、転送部１１４が、処理後の画像データを設定部１１３（設定画面１０ａ）で指定したプロジェクタ（プロジェクタ１〜３）にＬＡＮ８経由でデータ転送する（ステップＳ３）。
転送された画像データは、プロジェクタ２内のメモリ３（図３）に蓄積される（ステップＳ４）。
【００１６】
次に、プロジェクタ側の処理について説明する。
図４（ｂ）に示すように、ユーザが操作部４（図３）によりプロジェクタ２への指示を行う（ステップＳ５でＹｅｓ）。即ち、プロジェクタ２は、メモリ３に記憶した画像データの中から操作者により操作部４により指示された画像データを選択的に投影する投影画像設定手段２ａを備えている（図１）。投影画像設定手段２ａは、図３に示した制御部１２０によって実現される。
そして、プロジェクタ２（制御部１２０）は、投影画像設定手段２ａにより選択されたメモリ３内の画像データに基づいてパネル駆動部１２５を制御して液晶パネル１２４に画像を表示し、その画像をスクリーン１の投影面に投影する（ステップＳ６）。
このように、画像データを予めプロジェクタに転送することにより、ＰＣをプロジェクタに接続することなく画像を投影出来る。従って、ＰＣを持参することなく、プレゼンテーションを行うことが出来る。
【００１７】
図５は、ドライバ１０に含まれる設定部１１３が提供する設定画面を説明する図である。
図５に示すように、設定画面１０は、出力先設定欄１０Ａ、圧縮処理（圧縮率）設定欄１０Ｂ、画像処理（画質モード）設定欄１０Ｃ、を有している。
この設定画面１０によって、転送部１１４、画像処理部１１１、画像圧縮部１１２に対し、出力先のプロジェクタと画像処理の内容（画質モード）及び転送する画像データの圧縮率を設定することが出来る。
画像処理部１１１、画像圧縮部１１２は、設定画面による設定内容（処理パラメタ）に従いＰＣ５、６のデータに対して画像処理と圧縮処理を行う。転送部１１４は、画像処理と圧縮処理を行った後の画像データをＰＣ５、６からプロジェクタに転送する。
【００１８】
ユーザは、プロジェクタ２によりスクリーン１の投影面に投影するＰＣ５、６上のデータの特性に合わせて、ドライバ１０の設定を切り替える。
例えば、画質を重視したい写真画像をプロジェクタ２によりスクリーン１の投影面に投影する場合は、画像処理（画質モード）設定欄１０Ｃにてフルカラー写真モード１０Ｃ−ａを選択し、圧縮処理（圧縮率）設定欄１０Ｂにて非圧縮１０Ｂ−ａを選択すればよい。
また例えば、文字が中心のデータをプロジェクタ２によりスクリーン１の投影面に投影する場合は、画像処理（画質モード）設定欄１０Ｃにて白黒２値文字モード１０Ｃ−ｂを選択し、圧縮処理（圧縮率）設定欄１０Ｂにて非圧縮１０Ｂ−ａを選択する。このようにして、２値データを転送することによってフルカラー画像を転送するのと比較して転送する画像のデータサイズを小さくできる。
【００１９】
また、例えばあまり細部を見せる必要がない場合は、圧縮処理（圧縮率）設定欄１０Ｂにて圧縮レベル高１０Ｂ−ｂを設定して高圧縮の画像データを転送することによって転送する画像のデータサイズを小さくすることができる。
このように、プロジェクタで投影したい画像の内容に最適な画像処理と圧縮処理を行うことによって「データ量を小さくして回線負荷を下げつつ投影対象に合わせた画質する」など、環境に最適化した画像データを転送することが可能である。
【００２０】
図６は、具体的なプロジェクタに投影するＰＣ上のデータに対する画像処理の方法について説明する図である。
ＰＣ５、６からプロジェクタ２によりスクリーン１の投影面に投影するデータに対して、画像のオブジェクト毎に異なる画像処理を行う。
例えば、文字のオブジェクト１１については、２値化処理を行い文字の鮮鋭性を高め、かつ転送時のデータ量が小さくなるように画像処理を行う。またイメージ１２のオブジェクトについては、画質を重視して多値データのままとする。その後、処理後の画像データを出力先のプロジェクタに転送する。
このように、オブジェクト毎に画像処理を切り替えることにより、オブジェクトに最適な画像処理を行うことが出来、プロジェクタから投影面に投影する画像の画質を向上することが出来る。
なお、画像のオブジェクト毎に行う画像処理の設定は、設定画面１０ａ内で行えるようにすれば好適である。
【００２１】
＜第２実施形態＞
図７は、第２実施形態に係る画像投影システムの構成を示す図である。図１と同じ構成要件は同じ符号を付して説明する。
図７に示す第２実施形態に係る画像投影システム５２では、プロジェクタ２のメモリ３に蓄積された画像データは、転送したユーザ以外の操作によって画像が投影されることがないよう、セキュリティを高めるためにパスワードを設定する。
パスワードは、設定画面１０ａにおいて転送先や画像処理の設定を行う際にユーザが任意に設定可能とする。すなわち、本実施形態において、ドライバ１０は図２（ｂ）に示す処理部に加えてパスワード設定手段を更に備え、また設定画面１０ａにはパスワード設定欄をさらに有する。
【００２２】
ＰＣ５、６からプロジェクタ２に転送した画像データを投影する際には、プロジェクタ２はパスワードの入力を要求する。これにより、画像を転送したユーザ以外の人が、プロジェクタ２に内蔵のメモリ３に蓄積されている画像データをプロジェクタ２によりスクリーン１の投影面に投影できないようにする。
プロジェクタ２は、操作部４の操作によるパスワードの入力を受け付けるパスワード入力手段２ｂと、入力されたパスワードが、画像データに設定されたパスワードと一致するかを判定するパスワード判定手段２ｃと、を更に備えている。そして、メモリ３に記憶した画像データを投影する場合に、パスワード入力手段２ｂからパスワードを入力し、入力したパスワードが画像データに係るパスワードと一致したときに、この画像データを投影する。
【００２３】
図８は、第２実施形態に係る画像投影システムにおける情報処理装置、プロジェクタの動作を説明するフローチャートである。
図８（ａ）は、情報処理装置５、６（ＣＰＵ１００）の動作を示すフローチャートであり、図８（ｂ）は、プロジェクタ２の動作を示すフローチャートである。
情報処理装置５、６は、画像データをプロジェクタ２によりスクリーン１に投影する場合、図８（ａ）に示すように、ＰＣ５、６上のドライバ１０に対して、画像データに対する画像処理や圧縮処理の設定を行う（ステップＳ１１）。
処理の内容は、ドライバ１０に含まれる設定部１１３が提供する設定画面１０ａによって、ユーザが所望の処理を設定させる。
【００２４】
また、ＬＡＮ８上、あるいはローカルに複数のプロジェクタやプリンタが接続されている場合は、画像データを出力するプロジェクタを選択させる。
次に、設定部１１３による設定に従い、ドライバ１０に含まれる画像処理部１１１、画像圧縮部１１２が、画像データに対する画像処理と圧縮処理を行う（ステップＳ１２）。
次に、他人の操作によってプロジェクタ２から画像が投影されることがないよう、セキュリティを高めるために、パスワード設定手段により画像データにパスワードを設定する（ステップＳ１３）。
次に、転送部１１４が、パスワードを設定した処理後の画像データを設定部１１３（設定画面１０ａ）で指定したプロジェクタ（プロジェクタ１〜３）にＬＡＮ８経由でデータ転送する（ステップＳ１４）。転送された画像データは、プロジェクタ２内のメモリ３に蓄積される（ステップＳ１５）。
【００２５】
次に、プロジェクタ側の処理について説明する。
ユーザが操作部４によりプロジェクタ２への指示を行う（ステップＳ１６でＹｅステップＳ）。すると、操作部４により入力されたパスワードが一致した場合（ステップＳ１７でＹｅステップＳ）、メモリ３に蓄積された画像データをスクリーン１の投影面に投影する（ステップＳ１８）。ステップＳ１７でパスワードが一致しない場合は（ステップＳ１７でＮｏ）、パスワードが異なる旨を表示して（ステップＳ１９）、ステップＳ１５に戻る。
【００２６】
＜第３実施形態＞
図９は、第３実施形態に係る画像投影システムの構成を示す図であり、図９（ａ）はシステム構成図、図９（ｂ）はメモリ内の蓄積領域を示す図である。図１と同じ構成要件は同じ符号を付して説明する。
図９（ａ）に示す第３実施形態の画像投影システム５３において、プロジェクタ２に内蔵されたメモリ３は、ユーザ毎に領域分けして使用する。例えば、図９（ｂ）に示すようにユーザがＡ〜Ｄいた場合は、夫々独立に蓄積領域が設けられる。即ち、ＰＣ５、６から転送した画像データをユーザ毎の蓄積領域ユーザＡ、ユーザＢに夫々蓄積して、自分のデータと他人のデータが混在することを避ける。蓄積した画像データを投影する際には、自分の蓄積領域に対して画像データを投影する操作を操作部４より行い画像を投影する。
【００２７】
＜第４実施形態＞
図１０は、第４実施形態に係る画像投影システムの構成を示す図である。図１と同じ構成要件は同じ符号を付して説明する。
図９に示す第４実施形態の画像投影システム５４では、プロジェクタ２に外部Ｉ／Ｏ１０７（図１）を介してダイレクトにＰＣ５を接続している。
この場合、ＰＣ５のユーザは、ＰＣ５から直接プロジェクタ２に画像データを転送して、メモリ３に記憶して、プロジェクタ２からスクリーン１の投影面に画像を投影することができる。また同時にプロジェクタ２のメモリ３の中からＰＣ５を使用しているユーザ用の蓄積領域にアクセスし、蓄積されている画像データの中から投影したい画像を選択し、プロジェクタ２からスクリーン１の投影面に画像を投影することができる。また、ＰＣ５上のデータとプロジェクタ２に内蔵のメモリ３上のデータを任意に切り替えてプロジェクタ２からスクリーン１の投影面に画像を投影することができる。
【００２８】
以上で説明したとおり、本発明の画像投影システムは、画像のオブジェクト毎に異なる画像処理を施すことによって、オブジェクトに最適な画像処理を行うことができる。また、ユーザが所望の画質モードを設定することによって、文字の判読性を重視した画像再現や、グラフィックスの再現性を重視した画像再現などを選択することができる。その結果、プロジェクタに投影する画像の特性に合わせた画像処理を施した上で、プロジェクタに画像データを効率的に転送することができる。
【符号の説明】
【００２９】
１  スクリーン（投影面）、２  プロジェクタ、２ａ  投影画像設定手段、２ｂ  パスワード入力手段、２ｃ  パスワード判定手段、３  メモリ、４  操作部、５、６  ＰＣ、７  画像データ、８  ＬＡＮ、１０  ドライバ、１１１  画像処理部（画像処理手段）、１１２  画像圧縮部（画像圧縮手段）、１１３  設定部（設定手段）、１１４  転送部（転送手段）、１１  オブジェクト、１２  イメージ、５０〜５４  画像投影システム
【先行技術文献】
【特許文献】
【００３０】
【特許文献１】特開２００９−１４６０９３公報
【図１】
2014157243.tif 000003
【図２】
2014157243.tif 000004
【図３】
2014157243.tif 000005
【図４】
2014157243.tif 000006
【図５】
2014157243.tif 000007
【図６】
2014157243.tif 000008
【図７】
2014157243.tif 000009
【図８】
2014157243.tif 000010
【図９】
2014157243.tif 000011
【図１０】
2014157243.tif 000012